(57)【特許請求の範囲】
【請求項１】
屋外空間と屋内空間とを区画する既存の壁体の屋内側の壁面に沿わせるように断熱パネルを設け、該断熱パネルの上下端部のそれぞれに該断熱パネルの幅方向に沿うように造作材を設け、前記断熱パネルの上下端部の両方または一方に、吸湿材を収容させた吸湿材収容部を設けた構造とされており、
前記吸湿材収容部は、前記造作材の屋外側となる裏面側に位置するように、かつ前記断熱パネルの屋外側となる裏面側に連通するように設けられていることを特徴とする断熱構造。
【請求項２】
屋外空間と屋内空間とを区画する既存の壁体の屋内側の壁面に沿わせるように断熱パネルを設け、該断熱パネルの上下端部のそれぞれに該断熱パネルの幅方向に沿うように造作材を設け、前記断熱パネルの上下端部の両方または一方に、吸湿材を収容させた吸湿材収容部を設けた構造とされており、
前記吸湿材は前記吸湿材収容部に対して着脱可能とされ、前記造作材に、前記吸湿材を前記吸湿材収容部に対して着脱可能とする開閉部を設けたことを特徴とする断熱構造。
【請求項３】
請求項１または２において、
前記吸湿材を収容させた前記吸湿材収容部を、前記断熱パネルの上端部に設けたことを特徴とする断熱構造。
【発明の詳細な説明】
【技術分野】
【０００１】
本発明は、既存の壁体の屋内側の壁面に沿わせるように配設される断熱パネルを用いた断熱構造に関する。
【背景技術】
【０００２】
従来より、住居等の建物の断熱性を向上させる方法としては、建物の屋外空間と屋内空間とを区画する壁体の外側に断熱部材を施工する外張断熱工法や、上記壁体の内部に断熱材を施工する充填断熱工法が知られているが、これらの断熱工法には大掛かりな工事が必要であった。
そこで、近時においては、断熱性を向上させるために、建物の屋外空間と屋内空間とを区画する既存の壁体の屋内側に断熱パネルを配設することが行われている。
また、このような断熱パネルの上下端部を見栄え良く納めるために、適宜廻り縁や幅木等の造作材を設けることも考えられる。例えば、下記特許文献１では、天井と壁との間の隅部に沿って設けられる回り縁内部の収納空間に吸湿剤を収納し、該回り縁の前壁部に通気孔を設けた構造とされた除湿構造が提案されている。
【先行技術文献】
【特許文献】
【０００３】
【特許文献１】実開平４−４８３１１号公報
【発明の概要】
【発明が解決しようとする課題】
【０００４】
ところで、上記のような断熱パネルを既存の壁体の壁面に沿わせて設けた場合には、屋内側に設けられた断熱パネルが屋外側と屋内側との断熱境界となる。この断熱パネルの裏面側（屋外側）に、例えば、冬季等において、高温高湿の室内空気が流入すれば、結露が生じることが考えられる。
このような結露の発生を防止するためには、断熱パネルと既存の壁体との間に空隙が形成されないように、断熱パネルを全面に亘って既存の壁体の屋内側の壁面に密着させることが考えられる。しかしながら、既存の壁体の屋内側の壁面には不陸等がある場合があり、断熱パネルを全面に亘って既存の壁体の屋内側の壁面に密着させることは困難であることが考えられる。また、断熱パネルの上下端部と造作材とを全面に亘って密着させることも困難であり、これらの間にも僅かな隙間が生じることが考えられ、該隙間や上記空隙を介して高温高湿の室内空気が断熱パネルの裏面側に流入することが考えられる。
上記特許文献１に記載された除湿構造では、回り縁の前壁部の通気孔を介して回り縁廻りの空気の除湿を行うことは可能ではある。しかしながら、上記のように断熱パネルの上下端部と造作材との隙間を介して断熱パネルの裏面側に流入する水蒸気を効果的に吸湿する観点等からは更なる改善が望まれる。
【０００５】
本発明は、上記実情に鑑みてなされたものであり、既存の壁体と、その屋内側に配設される断熱パネルとの間における結露の発生を抑制し得る断熱構造を提供することを目的とする。
【課題を解決するための手段】
【０００６】
上記目的を達成するために、本発明に係る断熱構造は、屋外空間と屋内空間とを区画する既存の壁体の屋内側の壁面に沿わせるように断熱パネルを設け、該断熱パネルの上下端部のそれぞれに該断熱パネルの幅方向に沿うように造作材を設け、前記断熱パネルの上下端部の両方または一方に、吸湿材を収容させた吸湿材収容部を設けた構造とされており、前記吸湿材収容部は、前記造作材の屋外側となる裏面側に位置するように、かつ前記断熱パネルの屋外側となる裏面側に連通するように設けられていることを特徴とする。
また、上記目的を達成するために、本発明に係る断熱構造は、屋外空間と屋内空間とを区画する既存の壁体の屋内側の壁面に沿わせるように断熱パネルを設け、該断熱パネルの上下端部のそれぞれに該断熱パネルの幅方向に沿うように造作材を設け、前記断熱パネルの上下端部の両方または一方に、吸湿材を収容させた吸湿材収容部を設けた構造とされており、前記吸湿材は前記吸湿材収容部に対して着脱可能とされ、前記造作材に、前記吸湿材を前記吸湿材収容部に対して着脱可能とする開閉部を設けたことを特徴とする。
【０００７】
本発明においては、前記吸湿材を収容させた前記吸湿材収容部を、前記断熱パネルの上端部に設けてもよい。
【発明の効果】
【０００８】
本発明に係る断熱構造によれば、既存の壁体と、その屋内側に配設される断熱パネルとの間における結露の発生を抑制することができる。
【図面の簡単な説明】
【０００９】
【図１】本発明の一実施形態に係る断熱構造の一例を模式的に示す一部破断概略縦断面図である。
【図２】（ａ）、（ｂ）は、いずれも本発明の他の実施形態に係る断熱構造の一例を模式的に示す一部破断概略縦断面図である。
【図３】（ａ）、（ｂ）は、いずれも図２に対応させた同断熱構造を模式的に示す一部省略概略斜視図である。
【図４】同断熱構造の一変形例を模式的に示す一部省略概略斜視図である。
【発明を実施するための形態】
【００１０】
以下に本発明の実施の形態について、図面に基づいて説明する。
図１は、第１実施形態に係る断熱構造の一例を模式的に示す図である。
図１に示すように、本実施形態に係る断熱構造１は、屋外空間Ａと屋内空間Ｂとを区画する既存の壁体２の屋内側の壁面２ａに沿わせるように断熱パネル１０を設けた構造とされている。
既存の壁体２としては、一般的な鉄筋コンクリート造や鉄骨造、木造軸組構造、木造枠組壁構造からなる壁体２としてもよい。
【００１１】
断熱パネル１０は、略矩形平板状とされており、本実施形態では、断熱パネル１０の裏面１０ａを既存の壁体２の壁面２ａに沿わせるように、既存の壁体２に対して配設した例を示している。
断熱パネル１０は、複数枚を横並びに隣接させて、既存の壁体２の壁面２ａを略覆うように、壁面２ａの左右方向の略全域に亘って配設されている。また、これら複数枚の断熱パネル１０は、互いに略同幅寸法とされている。なお、壁体２の壁面２ａの左右寸法に応じて、例えば、複数枚の断熱パネル１０のうちの一枚の幅寸法を他の断熱パネル１０の幅寸法と異ならせたものとしてもよい。
【００１２】
また、本実施形態では、これら断熱パネル１０を、その上端部と天井３との間に隙間を設けるように、かつ、その下端面１０ｃを床４に当接させるように、配設した例を示している。
なお、断熱パネル１０は、釘等の固定止具や接着剤等により、既存の壁体２に対して固定するようにしてもよい。
また、断熱パネル１０は、その裏面１０ａの全面を壁面２ａに密着させることが好ましいが、壁体２の壁面２ａに生じた不陸等により、断熱パネル１０と壁体２の壁面２ａとの間に空隙が生じることが考えられ、図１及び図２では、この空隙を誇張して図示している。
【００１３】
また、断熱パネル１０は、例えば、表裏の面材と、これらの各対向面の四周端部に沿うように設けられた枠材と、これら四周枠材内に充填、収容された断熱材と、を備えた構造とされたものとしてもよい。
なお、断熱パネル１０の表裏の面材や枠材としては、木質系材料や、石膏ボード等の無機質系材料等から形成されたものとしてもよい。
また、断熱パネル１０の断熱材としては、各種フォーム系（発泡系）断熱材や繊維系断熱材等を採用してもよく、または、例えば、グラスファイバー等の繊維で芯材を形成し、その芯材を金属フィルム等の包装材で外装して真空吸引することにより形成された真空断熱材を採用してもよい。
【００１４】
また、本実施形態に係る断熱構造１は、断熱パネル１０の上下端部の両方または一方に、吸湿材１２を収容させた吸湿材収容部１１を設けている。
本実施形態では、断熱パネル１０の上端部に、吸湿材１２を収容させた吸湿材収容部１１を設けている。
また、本実施形態では、吸湿材収容部１１を、断熱パネル１０の上端面に、上方に向けて開口するように設けている。図例では、吸湿材収容部１１を、断熱パネル１０の上端面における断熱パネル１０の厚さ方向の略中央部位に、断熱パネル１０の幅方向（左右方向）に沿って設けた例を示している。
この吸湿材収容部１１は、吸湿材１２の収容が可能なように形成されている。
【００１５】
吸湿材１２は、例えば、粒状の吸湿剤を、透湿性を有した袋状や箱状の収容体に充填、収容させた構成とされたものとしてもよい。このような粒状の吸湿剤としては、例えば、シリカゲルやゼオライト等の無機系吸湿剤や、合成高分子系吸湿剤等の有機系吸湿剤等を採用するようにしてもよい。また、吸湿剤としては、乾燥等させることで、再吸湿可能とされたものとしてもよい。また、吸湿剤としては、水蒸気を吸放湿可能としたものとしてもよい。
また、吸湿材１２は、上記のような粒状の吸湿剤を直接的に吸湿材収容部１１に収容した構成とされたものとしてもよい。この場合は、その上方側を、透湿性を有したシート体等で覆うようにしてもよい。
なお、吸湿材１２を収容させた吸湿材収容部１１を、断熱パネル１０の幅方向の略全域に亘って設けるようにしてもよい。この場合は、吸湿材１２を、断熱パネル１０毎に設けるようにしてもよく、または、複数枚の断熱パネル１０に跨るように吸湿材１２を設けた態様としてもよい。さらには、それぞれに吸湿材１２を収容させた複数の吸湿材収容部１１を、各断熱パネル１０の幅方向に沿って互いに間隔を空けて設けるようにしてもよい。
【００１６】
また、断熱構造１は、断熱パネル１０の上下端部のそれぞれに、断熱パネル１０の幅方向に沿うように造作材１３，１６を設けている。
上側の造作材１３としての廻り縁１３は、側面視略矩形状で比較的に長尺の略帯板状とされており、断熱パネル１０と天井３との入隅部に沿うように、横並びに配設された複数枚の断熱パネル１０の幅方向の略全域に亘って配設されている。
また、廻り縁１３は、その裏面を断熱パネル１０の前面１０ｂに当接させるように、かつ、その上端面を天井３に当接させるように、配設されている。
【００１７】
下側の造作材１６としての幅木１６は、側面視略矩形状で比較的に長尺の略帯板状とされており、断熱パネル１０と床４との入隅部に沿うように、横並びに配設された複数枚の断熱パネル１０の幅方向の略全域に亘って配設されている。
また、幅木１６は、その裏面を断熱パネル１０の前面１０ｂに当接させるように、かつ、その下端面を床４に当接させるように、配設されている。
【００１８】
なお、これら上下の造作材としての廻り縁１３及び幅木１６は、その長さ寸法が横並びに配設された複数枚の断熱パネル１０の幅方向の略全域に亘る長さ寸法とされたものとしてもよい。または、複数枚の断熱パネル１０の幅方向の略全域に亘る長さ寸法よりも短い寸法とされたものを複数本設けた構造としてもよい。さらには、各断熱パネル１０の幅寸法と略同寸法の長さとされたものを、断熱パネル１０毎に設けた構造としてもよい。
また、これら上下の造作材としての廻り縁１３及び幅木１６は、釘（フィニッシュネイル）やねじ等の固定止具によって、断熱パネル１０や、天井３、床４等に対して固定するようにしてもよい。なお、これら上下の造作材としての廻り縁１３及び幅木１６の固定態様としては、このような固定止具による固定態様に代えて、または加えて、粘着テープ等の粘着材や接着剤等によって固定する態様としてもよい。
また、上下の造作材としての廻り縁１３及び幅木１６は、木質系材料や合成樹脂系材料等から形成されたものとしてもよい。
【００１９】
上記構成とされた本実施形態に係る断熱構造１によれば、既存の壁体２と、その屋内側に配設される断熱パネル１０との間における結露の発生を抑制することができる。
つまり、断熱パネル１０の上下端部の両方または一方に、吸湿材１２を収容させた吸湿材収容部１１を設けている。
従って、断熱パネル１０と上下の造作材１３，１６との間や、既存の壁体２の屋内側の壁面２ａと断熱パネル１０との間に隙間や空隙等が生じているような場合にも、これらを介して流入する水蒸気を断熱パネル１０の上下端部の両方または一方に設けられた吸湿材１２によって吸湿することができる。これにより、断熱パネル１０の裏面１０ａ側における結露の発生を抑制することができる。
また、断熱パネル１０の上下端部に断熱パネル１０の幅方向に沿うように造作材１３，１６を設けているので、吸湿材１２や吸湿材収容部１１が目立ち難くなり、見栄えを損なうことがない。
【００２０】
また、本実施形態では、吸湿材１２を収容させた吸湿材収容部１１を、断熱パネル１０の上端部に設けているので、上記のような隙間等を介して流入する水蒸気をより効果的に吸湿することができ、断熱パネル１０の裏面１０ａ側における結露の発生をより効果的に抑制することができる。
つまり、冬季等においては、屋内側では上向きの気流が生じ、断熱パネル１０の裏面１０ａ側では下向きの気流が生じるため、水蒸気が断熱パネル１０の上端側から流入し易くなることが考えられる。本実施形態では、吸湿材１２を収容させた吸湿材収容部１１を、断熱パネル１０の上端部に設けているので、流入元において水蒸気を吸湿することができ、効率的に吸湿することができる。
【００２１】
次に、本発明に係る他の実施の形態について、図面を参照しながら説明する。
図２及び図３は、第２実施形態に係る断熱構造の一例を模式的に示す図である。
なお、上記第１実施形態との相違点について主に説明し、同様の構成については、同一符号を付し、その説明を省略または簡略に説明する。
本実施形態に係る断熱構造１Ａは、吸湿材収容部１１Ａ及び吸湿材１２Ａ、廻り縁１３Ａの構造が、上記第１実施形態に係る断熱構造１とは主に異なる。
吸湿材収容部１１Ａは、断熱パネル１０Ａの幅方向の略全域に亘って設けられており、本実施形態では、断熱パネル１０Ａの上方及び前方に向けて開口した形状とされている。また、吸湿材収容部１１Ａは、吸湿材１２Ａを着脱可能な構造とされている。（図２（ｂ）及び図３（ｂ）参照）。
【００２２】
吸湿材１２Ａは、図２に示すように、吸湿材収容部１１Ａに対して、断熱パネル１０Ａの前方から着脱可能とされている。
なお、吸湿材１２Ａとしては、着脱時における取り扱い性等の観点から、上記したような保形性を有した箱状の収容体に粒状の吸湿剤を収容させた構成とされたものとしてもよい。
また、吸湿材１２Ａは、吸湿材収容部１１Ａに着脱可能に載置されるのみでもよく、または、これら吸湿材収容部１１Ａ及び吸湿材１２Ａに互いに係合する係合部を設け、吸湿材１２Ａが係合保持される構造としてもよい。また、吸湿材１２Ａ及び吸湿材収容部１１Ａのそれぞれに、接合及び剥離可能とされた面ファスナー等を設け、吸湿材１２Ａが意図せずに吸湿材収容部１１Ａから脱落等することを抑制するようにしてもよい。
【００２３】
また、本実施形態では、廻り縁１３Ａに、吸湿材１２Ａを吸湿材収容部１１Ａに対して着脱可能とする開閉部１４を設けている（図３も参照）。
廻り縁１３Ａは、壁体２に固定される本体部と、該本体部の下端側に設けられた開閉部１４と、を備えている。
図例では、廻り縁１３Ａの本体部を、壁体２に固定された造作材下地５対して固定した例を示している。
造作材下地５は、その厚さ寸法が、断熱パネル１０Ａの厚さ寸法と略同寸法とされ、壁体２の壁面２ａと廻り縁１３Ａの本体部との間のスペーサー、及び廻り縁１３Ａの本体部の固定下地として機能する。
なお、このような造作材下地５を設けた態様に代えて、廻り縁１３Ａの本体部自体に、壁体２の壁面２ａにその裏面が当接されるスペーサー部を設けるようにしてもよい。
【００２４】
開閉部１４は、側面視略矩形状で比較的に長尺の略帯板状とされており、当該廻り縁１３Ａの長手方向の略全長に亘って設けられている。また、開閉部１４は、本体部の下端縁に設けられた軸部１５を回動支点として、本体部に回動自在に連結されており、前方側に開閉する構造とされている。本実施形態では、開閉部１４は、軸部１５の軸方向を、廻り縁１３Ａの長手方向に沿わせるように、かつ開閉部１４の上端に沿わせるように設け、開閉部１４の下端側が断熱パネル１０Ａの前面１０Ａｂに対して接離する構成とされている。
また、開閉部１４は、図２（ａ）及び図３（ａ）に示すように、閉鎖状態で、その裏面が、吸湿材１２Ａ及び断熱パネル１０Ａの前面１０Ａｂに当接、または、近接するように配設され、少なくとも吸湿材１２Ａの前面側を覆う構造とされている。
また、開閉部１４は、図２（ｂ）及び図３（ｂ）に示すように、開放状態で、吸湿材収容部１１Ａの前方開口を開放させ、吸湿材収容部１１Ａに対して吸湿材１２Ａの着脱が可能なように形成されている。
なお、図例では、廻り縁１３Ａの本体部と開閉部１４とを軸部１５を介して回動自在に連結した例を示しているが、蝶番等の連結部材によって開閉部１４を本体部に対して回動自在に連結した態様としてもよい。また、このように本体部と開閉部１４とを別体とした態様に代えて、当該廻り縁１３Ａを合成樹脂系材料から一体的に形成し、本体部と開閉部１４との境界部位にヒンジ部となる折曲溝を設けた態様としてもよい。
【００２５】
なお、開閉部１４及び吸湿材１２Ａまたは断熱パネル１０Ａの前面１０Ａｂのそれぞれに、接合及び剥離可能とされた面ファスナー等を設けるようにしてもよい。
また、吸湿材１２Ａの交換時期を知らせるための表示部を、吸湿材１２Ａの前面側等に設けるようにしてもよい。このような表示部としては、例えば、吸湿により生じる色の変化により吸湿材１２Ａの交換時期を知らせる態様のものとしてもよい。
【００２６】
上記構成とされた本実施形態に係る断熱構造１Ａにおいても、上記第１実施形態と概ね同様の効果を奏する。
また、本実施形態では、造作材（廻り縁）１３Ａに、吸湿材１２Ａを吸湿材収容部１１Ａに対して着脱可能とする開閉部１４を設けている。従って、この開閉部１４を開閉して吸湿材１２Ａを吸湿材収容部１１Ａから着脱することができ、吸湿材１２Ａの交換等を容易に行うことができる。また、上記したように、乾燥等させることで、再吸湿可能とされたものを吸湿材１２Ａの吸湿剤として採用した場合には、吸湿材１２Ａを容易に再利用することもできる。
【００２７】
次に、本実施形態に係る断熱構造１Ａの一変形例について、図４を参照しながら説明する。
なお、上記した各例との相違点について主に説明し、同様の構成については、同一符号を付し、その説明を省略または簡略に説明する。
本変形例では、吸湿材１２Ｂを収容させた吸湿材収容部１１Ｂを断熱パネル１０Ｂの幅方向の略全域に亘って設けずに、断熱パネル１０Ｂの幅方向中央側部位にのみ設けている。
また、本変形例に係る断熱構造１Ｂは、廻り縁１３Ｂに、各断熱パネル１０Ｂに設けられた吸湿材収容部１１Ｂに応じた位置となるように長手方向に間隔を空けて複数の開閉部１４Ａを設けた構造とされている。また、廻り縁１３Ｂは、これら複数の開閉部１４Ａ間に、本体部から延びるように、断熱パネル１０Ｂの前面１０Ｂｂに当接される当接部を設けた構造とされている。
【００２８】
本変形例に係る断熱構造１Ｂによれば、廻り縁１３Ｂに、長手方向に沿って間隔を空けて複数の開閉部１４Ａ，１４Ａを設け、開閉部１４Ａ間に当接部を設けている。従って、例えば、上記した例のように、廻り縁１３Ａの長手方向の略全長に亘って開閉部１４を設けた場合と比べて、廻り縁１３Ｂと断熱パネル１０Ｂとの密着性をより向上させることができる。つまり、廻り縁１３Ｂの当接部を断熱パネル１０Ｂの上端部の前面１０Ｂｂに当接させることができるので、これらの密着性を向上させることができる。また、この廻り縁１３Ｂの当接部を固定止具や接着剤等によって断熱パネル１０Ｂの前面１０Ｂｂに固定することもでき、廻り縁１３Ｂをより安定的に固定することができる。
【００２９】
なお、上記した各例に係る断熱構造１Ａ，１Ｂでは、吸湿材１２Ａ，１２Ｂを、吸湿材収容部１１Ａ，１１Ｂに対して前方側から着脱可能とした例を示しているが、この態様に限定されない。例えば、前方側に開閉可能とされた開閉部１４，１４Ａを、廻り縁１３Ａ，１３Ｂの上端側に設けて、吸湿材１２Ａ，１２Ｂを吸湿材収容部１１Ａ，１１Ｂに対して上方側から着脱可能とした態様としてもよい。
また、上記した各例に係る断熱構造１Ａ，１Ｂでは、廻り縁１３Ａ，１３Ｂの開閉部１４，１４Ａを、廻り縁１３Ａ，１３Ｂの長手方向に軸方向を沿わせた回動支点（軸部１５）廻りに回動自在とした例を示しているが、この態様に限定されない。例えば、廻り縁１３Ａ，１３Ｂの開閉部１４，１４Ａを、廻り縁１３Ａ，１３Ｂの幅方向に軸方向を沿わせた回動支点（軸部１５）廻りに回動自在としてもよい。また、廻り縁１３Ａ，１３Ｂの開閉部１４，１４Ａとしては、上記した各例のような回動自在とされた開き扉状のものに限られない。例えば、引戸状とされた開閉部１４，１４Ａとしてもよく、または、廻り縁１３Ａ，１３Ｂの本体部に対して着脱自在とされた蓋状の開閉部１４，１４Ａとしてもよい。
さらには、廻り縁１３Ａ，１３Ｂに、吸湿材１２Ａ，１２Ｂを吸湿材収容部１１Ａ，１１Ｂに対して着脱可能とする開閉部１４，１４Ａを設けずに、廻り縁１３Ａ，１３Ｂ自体を固定対象に対して着脱自在とした態様としてもよい。このようなものでも、廻り縁１３Ａ，１３Ｂを脱離させることで、吸湿材１２Ａ，１２Ｂの交換等が可能となる。
【００３０】
また、上記各実施形態では、断熱パネル１０，１０Ａ，１０Ｂの上端部のみに吸湿材１２，１２Ａ，１２Ｂを収容させた吸湿材収容部１１，１１Ａ，１１Ｂを設けた例を示しているが、この態様に限定されない。吸湿材１２，１２Ａ，１２Ｂを収容させた吸湿材収容部１１，１１Ａ，１１Ｂを、断熱パネル１０，１０Ａ，１０Ｂの上下端部の両方、または下端部のみに設けるようにしてもよい。
【符号の説明】
【００３１】
１，１Ａ，１Ｂ              断熱構造
１０，１０Ａ，１０Ｂ        断熱パネル
１１，１１Ａ，１１Ｂ        吸湿材収容部
１２，１２Ａ，１２Ｂ        吸湿材
１３，１３Ａ，１３Ｂ        廻り縁（上側の造作材）
１６                        幅木（下側の造作材）
１４，１４Ａ                開閉部
２                          壁体
２ａ                        屋内側の壁面
Ａ                          屋外空間
Ｂ                          屋内空間
【図１】
0005961442.tif 000002
【図２】
0005961442.tif 000003
【図３】
0005961442.tif 000004
【図４】
0005961442.tif 000005